(57)【要約】【課題】浮子の照射部分が水中にあるときは水面上から見えなくする電気浮子を提供する。【解決手段】本浮子は、内蔵光源により照射部分から光を発する電気浮子であって、照射部分の周囲に、電気浮子の長手方向の軸と中心軸が重なるように、所定のテーパー角度を有する逆円錐台状の部材が設けられ、部材の上面部は遮光部となるように形成され、部材の逆テーパー側面は透明となるように形成され、部材の内部と照射部分の外部で形成される空隙に、水より疎な密度の物質が充填された構成を備える。具体的には、浮子トップの照射部分外周に決められた範囲のテーパー角度を有する中空円錐形状の透明樹脂からなる鞘管キャップを気密装着、もしくは、気密加工した鞘管キャップを装着することにより、その照射部分から発する光は水面上のいかなる位置からも見えなくすることが可能となる。【選択図】図５
2010200750.tif 000002
【特許請求の範囲】
【請求項１】
内蔵光源により照射部分から光を発する電気浮子であって、
前記照射部分の周囲に、電気浮子の長手方向の軸と中心軸が重なるように、所定のテーパー角度を有する逆円錐台状の部材が設けられ、
前記部材の上面部は遮光部となるように形成され、
前記部材の逆テーパー側面は透明となるように形成され、
前記部材の内部と前記照射部分の外部で形成される空隙に、若しくは、前記部材の逆テーパー側面に沿って内部に形成される空隙に、水より疎な密度の物質が充填され、
前記照射部分が水面上に存在するときは、水面上から前記照射部分から発せられる光を視認可能で、前記照射部分が水中に存在するときは、水面上から前記照射部分から発せられる光が視認不可能であることを特徴とする電気浮子。
【請求項２】
内蔵光源により照射部分から光を発する電気浮子であって、
前記照射部分の周囲に、電気浮子の長手方向の軸と中心軸が重なるように、所定のテーパー角度を有する逆多角錐台状の部材が設けられ、
前記部材の上面部は遮光部となるように形成され、
前記部材の逆テーパー側面は透明となるように形成され、
前記部材の内部と前記照射部分の外部で形成される空隙に、若しくは、前記部材の逆テーパー側面に沿って内部に形成される空隙に、水より疎な密度の物質が充填され、
前記照射部分が水面上に存在するときは、水面上から前記照射部分から発せられる光を視認可能で、前記照射部分が水中に存在するときは、水面上から前記照射部分から発せられる光が視認不可能であることを特徴とする電気浮子。
【請求項３】
内蔵光源により照射部分から光を発する電気浮子であって、
前記照射部分の周囲に、電気浮子の長手方向の軸と中心軸が重なるように、所定のテーパー角度を有する２以上の逆円錐台状が連続に連結した形状の部材が設けられ、
前記部材の上面部および各逆円錐台状の上面部は遮光部となるように形成され、
前記部材の各逆円錐台状の逆テーパー側面は透明となるように形成され、
前記部材の内部と前記照射部分の外部で形成される空隙に、若しくは、前記部材の逆円錐台状が複数連結した形状側面に沿って内部に形成される空隙に、水より疎な密度の物質が充填され、
前記照射部分が水面上に存在するときは、水面上から前記照射部分から発せられる光を視認可能で、前記照射部分が水中に存在するときは、水面上から前記照射部分から発せられる光が視認不可能であることを特徴とする電気浮子。
【請求項４】
内蔵光源により照射部分から光を発する電気浮子であって、
前記照射部分の周囲に、電気浮子の長手方向の軸と中心軸が重なるように、所定のテーパー角度を有する２以上の逆多角錐台状が連続に連結した形状の部材が設けられ、
前記部材の上面部および各逆多角錐台状の上面部は遮光部となるように形成され、
前記部材の各多角円錐台状の逆テーパー側面は透明となるように形成され、
前記部材の内部と前記照射部分の外部で形成される空隙に、若しくは、前記部材の逆多角錐台状が複数連結した形状側面に沿って内部に形成される空隙に、水より疎な密度の物質が充填され、
前記照射部分が水面上に存在するときは、水面上から前記照射部分から発せられる光を視認可能で、前記照射部分が水中に存在するときは、水面上から前記照射部分から発せられる光が視認不可能であることを特徴とする電気浮子。
【請求項５】
前記の水より疎な密度の物質は、空気、窒素ガス、ヘリウムガス、アルゴンガス、から選ばれる少なくとも１種の気体であることを特徴とする請求項１乃至４のいずれかに記載の電気浮子。
【請求項６】
前記部材の内部と前記照射部分の外部で形成される空隙に、湿度調整のための乾燥剤が備えられたことを特徴とする請求項１乃至４のいずれかに記載の電気浮子。
【請求項７】
前記所定のテーパー角度は、全反射臨界角の２倍値から直角を減算した角度であることを特徴とする請求項１乃至４のいずれかに記載の電気浮子。
【請求項８】
内蔵光源により照射部分から光を発する電気浮子の前記照射部分の周囲に取り付ける部材であって、
前記部材の形状は、所定のテーパー角度を有する逆円錐台状であって、中心軸上に円柱乃至多角柱形状の貫通孔が設けられており、
前記部材の上面部は遮光部となるように形成され、
前記部材の逆テーパー側面は透明となるように形成され、
前記部材の内部の空隙に、若しくは、前記部材の逆テーパー側面に沿って内部に形成される空隙に、水より疎な密度の物質が充填され、
前記部材を前記照射部分の周囲に取り付けることによって、
前記照射部分が水面上に存在するときは、水面上から前記照射部分から発せられる光を視認可能で、前記照射部分が水中に存在するときは、水面上から前記照射部分から発せられる光が視認不可能であることを特徴とする電気浮子用部材。
【請求項９】
内蔵光源により照射部分から光を発する電気浮子の前記照射部分の周囲に取り付ける部材であって、
前記部材の形状は、所定のテーパー角度を有する逆多角錐台状であって、中心軸上に円柱乃至多角柱形状の貫通孔が設けられており、
前記部材の上面部は遮光部となるように形成され、
前記部材の逆テーパー側面は透明となるように形成され、
前記部材の内部の空隙に、若しくは、前記部材の逆テーパー側面に沿って内部に形成される空隙に、水より疎な密度の物質が充填され、
前記部材を前記照射部分の周囲に取り付けることによって、
前記照射部分が水面上に存在するときは、水面上から前記照射部分から発せられる光を視認可能で、前記照射部分が水中に存在するときは、水面上から前記照射部分から発せられる光が視認不可能であることを特徴とする電気浮子用部材。
【請求項１０】
内蔵光源により照射部分から光を発する電気浮子の前記照射部分の周囲に取り付ける部材であって、
前記部材の形状は、所定のテーパー角度を有する２以上の逆円錐台状が連続に連結した形状であって、中心軸上に円柱乃至多角柱形状の貫通孔が設けられており、
前記部材の上面部は遮光部となるように形成され、
前記部材の逆テーパー側面は透明となるように形成され、
前記部材の内部の空隙に、若しくは、前記部材の逆円錐台状が複数連結した形状側面に沿って内部に形成される空隙に、水より疎な密度の物質が充填され、
前記部材を前記照射部分の周囲に取り付けることによって、
前記照射部分が水面上に存在するときは、水面上から前記照射部分から発せられる光を視認可能で、前記照射部分が水中に存在するときは、水面上から前記照射部分から発せられる光が視認不可能であることを特徴とする電気浮子用部材。
【請求項１１】
内蔵光源により照射部分から光を発する電気浮子の前記照射部分の周囲に取り付ける部材であって、
前記部材の形状は、所定のテーパー角度を有する２以上の逆多角錐台状が連続に連結した形状であって、中心軸上に円柱乃至多角柱形状の貫通孔が設けられており、
前記部材の上面部は遮光部となるように形成され、
前記部材の逆テーパー側面は透明となるように形成され、
前記部材の内部の空隙に、若しくは、前記部材の逆多角錐台状が複数連結した形状側面に沿って内部に形成される空隙に、水より疎な密度の物質が充填され、
前記部材を前記照射部分の周囲に取り付けることによって、
前記照射部分が水面上に存在するときは、水面上から前記照射部分から発せられる光を視認可能で、前記照射部分が水中に存在するときは、水面上から前記照射部分から発せられる光が視認不可能であることを特徴とする電気浮子用部材。
【請求項１２】
前記の水より疎な密度の物質は、空気、窒素ガス、ヘリウムガス、アルゴンガス、から選ばれる少なくとも１種の気体であることを特徴とする請求項８乃至１１のいずれかに記載の電気浮子用部材。
【請求項１３】
前記部材の内部と前記照射部分の外部で形成される空隙に、湿度調整のための乾燥剤が備えられたことを特徴とする請求項８乃至１１のいずれかに記載の電気浮子用部材。
【請求項１４】
前記所定のテーパー角度は、全反射臨界角の２倍値から直角を減算した角度であることを特徴とする請求項８乃至１１のいずれかに記載の電気浮子用部材。
【発明の詳細な説明】
【技術分野】
【０００１】
本発明は、水面を浮遊する電気浮子に関し、特に、水面上と水面下で、内蔵光源により照射部分から外部に発する光の視認状態を調整できるものに関する。
【背景技術】
【０００２】
従来の魚釣り用浮子を、図１２及び図１３を参照しながら説明する。図１２に示すように、魚釣り用浮子１００は、発光源１１０とバッテリ１２２を収容すると共に浮力を得るボディ１０３と、このボディ１０３の上部に取り付けられてあたりをとる棒状のトップ１０２と、ボディ１０３の下部に取り外し可能に取り付けられバッテリ１２２などの交換を可能とするソケット１０４とで構成されている。
トップ１０２は浮子下の魚の動きや餌の様子を伝える目印となるものであり、発光源１１０から光を受けて明るくなることに加え、破損しにくくしかも軽い材料によって形成されている。このトップ１０２は、餌落ちやあたりなどの水面Ｓ下の状況を確実にそして細かに伝えるため、色分けされた目盛り１０５を設けて視認性を向上させている。
また、トップ１０２は、光ファイバ１０６とその周囲を覆う鞘管１０７との２層構造とされている。
【０００３】
次に、図１３に示すように、光ファイバ１０６と鞘管１０７との間には隙間を設けて空気層１０８をつくり、トップ１０２としての浮力が増すようにしている。光ファイバ１０６の周囲には螺旋状に細かな傷１２３を入れることによって光が漏れ出るように形成されている。２層構造となっているトップ１０２は、鞘管１０７の方に目盛り１０５が入れられている。目盛り１０５は、トップ１０２を構成する鞘管１０７の周面に縦方向に黒色部１０５ｂと有色部１０５ｃとに交互に色分けしている。この場合、黒色部１０５ｂは光を発しない一方、有色部１０５ｃは内側の光ファイバ１０６から漏れる発光ダイオードの光を透過させて所定の色で発光する。トップ１０２には、黒色部１０５ｂ及び有色部１０５ｃがそれぞれ６箇所ずつ設けられている。
【先行技術文献】
【特許文献】
【０００４】
【特許文献１】特開２０００−４１５５２号公報
【特許文献２】実用新案登録第３０１８７８５号公報
【発明の概要】
【発明が解決しようとする課題】
【０００５】
しかしながら、上述の電気浮子の魚釣り用浮子１００には、以下のような改善すべき点がある。
先ず、暗い夜間での魚釣りにおいて、魚釣り用の浮子１００は、魚のアタリがあって照射部分が水中に入った場合でも、特に澄み切った水の環境下では水面上のいかなる位置からでも透視可能となり、その結果、釣り人がそのアタリに敏速に対応できなくて折角の好釣果を逃してしまうことがしばしばあった。
【０００６】
上記問題に鑑みて、本発明は、電気浮子の照射部分が水中に入ると水面上のいかなる位置からも見えなくなるようにして、アタリの対応が迅速にできる電気浮子を提供することを目的とする。
【課題を解決するための手段】
【０００７】
本発明者は、様々な検討を重ねた結果、本発明に係る電気浮子ならびにそれに用いる部材を完成した。
すなわち、上記問題を解決すべく、本発明に係る第１の観点の電気浮子は、内蔵光源により照射部分から光を発する電気浮子であって、
１−１）照射部分の周囲に、電気浮子の長手方向の軸と中心軸が重なるように、所定のテーパー角度を有する逆円錐台状の部材が設けられ、
１−２）部材の上面部は遮光部となるように形成され、
１−３）部材の逆テーパー側面は透明となるように形成され、
１−４）部材の内部と照射部分の外部で形成される空隙に、若しくは、部材の逆テーパー側面に沿って内部に形成される空隙に、水より疎な密度の物質が充填された構成を備える。
【０００８】
かかる構成を備えることにより、本発明に係る第１の観点の電気浮子は、照射部分が水面上に存在するときは、水面上から照射部分から発せられる光を視認可能で、照射部分が水中に存在するときは、水面上から照射部分から発せられる光が視認不可能であるといった効果を有する。
【０００９】
また、本発明に係る第２の観点の電気浮子は、内蔵光源により照射部分から光を発する電気浮子であって、
２−１）照射部分の周囲に、電気浮子の長手方向の軸と中心軸が重なるように、所定のテーパー角度を有する逆多角錐台状の部材が設けられ、
２−２）部材の上面部は遮光部となるように形成され、
２−３）部材の逆テーパー側面は透明となるように形成され、
２−４）部材の内部と照射部分の外部で形成される空隙に、若しくは、部材の逆テーパー側面に沿って内部に形成される空隙に、水より疎な密度の物質が充填された構成を備える。
【００１０】
かかる構成を備えることにより、本発明に係る第２の観点の電気浮子は、照射部分が水面上に存在するときは、水面上から照射部分から発せられる光を視認可能で、照射部分が水中に存在するときは、水面上から照射部分から発せられる光が視認不可能であるといった効果を有する。
【００１１】
また、本発明に係る第３の観点の電気浮子は、内蔵光源により照射部分から光を発する電気浮子であって、
３−１）照射部分の周囲に、電気浮子の長手方向の軸と中心軸が重なるように、所定のテーパー角度を有する２以上の逆円錐台状が連続に連結した形状の部材が設けられ、
３−２）部材の上面部および各逆円錐台状の上面部は遮光部となるように形成され、
３−３）部材の各逆円錐台状の逆テーパー側面は透明となるように形成され、
３−４）部材の内部と照射部分の外部で形成される空隙に、若しくは、部材の逆円錐台状が複数連結した形状側面に沿って内部に形成される空隙に、水より疎な密度の物質が充填された構成を備える。
【００１２】
かかる構成を備えることにより、本発明に係る第３の観点の電気浮子は、照射部分が水面上に存在するときは、水面上から照射部分から発せられる光を視認可能で、照射部分が水中に存在するときは、水面上から照射部分から発せられる光が視認不可能であるといった効果を有する。
【００１３】
また、本発明に係る第４の観点の電気浮子は、内蔵光源により照射部分から光を発する電気浮子であって、
４−１）照射部分の周囲に、電気浮子の長手方向の軸と中心軸が重なるように、所定のテーパー角度を有する２以上の逆多角錐台状が連続に連結した形状の部材が設けられ、
４−２）部材の上面部および各逆多角錐台状の上面部は遮光部となるように形成され、
４−３）部材の各多角円錐台状の逆テーパー側面は透明となるように形成され、
４−４）部材の内部と照射部分の外部で形成される空隙に、若しくは、部材の逆多角錐台状が複数連結した形状側面に沿って内部に形成される空隙に、水より疎な密度の物質が充填された構成を備える。
【００１４】
かかる構成を備えることにより、本発明に係る第４の観点の電気浮子は、照射部分が水面上に存在するときは、水面上から照射部分から発せられる光を視認可能で、照射部分が水中に存在するときは、水面上から照射部分から発せられる光が視認不可能であるといった効果を有する。
【００１５】
ここで、上記の第１の観点から第４の観点の電気浮子において、水より疎な密度の物質は、空気、窒素ガス、ヘリウムガス、アルゴンガス、から選ばれる少なくとも１種の気体であることが好ましい。特に、好ましくは、空気である。少なくとも１種としたのは、混合気体であっても構わないといった意図がある。
これらの気体は、入手、取扱いに便利な気体であり、また、気体ゆえに浮子の浮力が増大するという効果もある。
なお、逆テーパー形状の中に、空気等の水より疎な密度の物質が充填されていればよい、逆テーパー形状の側面の外側に、透明樹脂や透明ガラスなどが様々な形状で付加されていても構わない。また、透明樹脂や透明ガラスなどの形状の中に、逆テーパー形状の側面をもつ空間が形成され、その中に、空気等の水より疎な密度の物質が充填されていてもかまわない。
【００１６】
また、上記の第１の観点から第４の観点の電気浮子において、部材の内部と照射部分の外部で形成される空隙に、湿度調整のための乾燥剤が備えられることが好ましい。
ここで、乾燥剤は、水分や水滴を除外する目的がある。乾燥剤には、シリカゲルなどの汎用の乾燥剤が用いられる。
【００１７】
また、上記の第１の観点から第４の観点の電気浮子において、所定のテーパー角度は、全反射臨界角の２倍値から直角を減算した角度であることが好ましい。
全反射臨界角の２倍値から直角を減算した角度以上の大きさのテーパー角度であれば、照射部分が水面上に存在するときは、水面上から照射部分から発せられる光を視認可能で、照射部分が水中に存在するときは、水面上から照射部分から発せられる光が視認不可能であるといった効果がある。しかしながら、かかるテーパー角度が大きすぎると、水面下での水の抵抗をうける度合いが大きくなり、浮子の性能として好ましくないため、全反射臨界角の２倍値から直角を減算した角度に、波風の影響による浮子の傾斜角度を約２〜３度加算して好適な角度とするものである。
【００１８】
次に、本発明に係る第５の観点の電気浮子用部材は、内蔵光源により照射部分から光を発する電気浮子の照射部分の周囲に取り付ける部材であって、
５−１）部材の形状は、所定のテーパー角度を有する逆円錐台状であって、中心軸上に円柱乃至多角柱形状の貫通孔が設けられており、
５−２）部材の上面部は遮光部となるように形成され、
５−３）部材の逆テーパー側面は透明となるように形成され、
５−４）部材の内部の空隙に、若しくは、部材の逆テーパー側面に沿って内部に形成される空隙に、水より疎な密度の物質が充填された構成を備える。
【００１９】
かかる構成の電気浮子用部材を電気浮子の照射部分の周囲に取り付けることによって、照射部分が水面上に存在するときは、水面上から照射部分から発せられる光を視認可能で、照射部分が水中に存在するときは、水面上から照射部分から発せられる光が視認不可能であるといった効果を発揮する。
【００２０】
また、本発明に係る第６の観点の電気浮子用部材は、内蔵光源により照射部分から光を発する電気浮子の照射部分の周囲に取り付ける部材であって、
６−１）部材の形状は、所定のテーパー角度を有する逆多角錐台状であって、中心軸上に円柱乃至多角柱形状の貫通孔が設けられており、
６−２）部材の上面部は遮光部となるように形成され、
６−３）部材の逆テーパー側面は透明となるように形成され、
６−４）部材の内部の空隙に、若しくは、部材の逆テーパー側面に沿って内部に形成される空隙に、水より疎な密度の物質が充填された構成を備える。
【００２１】
かかる構成の電気浮子用部材を電気浮子の照射部分の周囲に取り付けることによって、照射部分が水面上に存在するときは、水面上から照射部分から発せられる光を視認可能で、照射部分が水中に存在するときは、水面上から照射部分から発せられる光が視認不可能であるといった効果を発揮する。
【００２２】
また、本発明に係る第７の観点の電気浮子用部材は、内蔵光源により照射部分から光を発する電気浮子の照射部分の周囲に取り付ける部材であって、
７−１）部材の形状は、所定のテーパー角度を有する２以上の逆円錐台状が連続に連結した形状であって、中心軸上に円柱乃至多角柱形状の貫通孔が設けられており、
７−２）部材の上面部は遮光部となるように形成され、
７−３）部材の逆テーパー側面は透明となるように形成され、
７−４）部材の内部の空隙に、若しくは、部材の逆円錐台状が複数連結した形状側面に沿って内部に形成される空隙に、水より疎な密度の物質が充填された構成を備える。
【００２３】
かかる構成の電気浮子用部材を電気浮子の照射部分の周囲に取り付けることによって、照射部分が水面上に存在するときは、水面上から照射部分から発せられる光を視認可能で、照射部分が水中に存在するときは、水面上から照射部分から発せられる光が視認不可能であるといった効果を発揮する。
【００２４】
また、本発明に係る第８の観点の電気浮子用部材は、内蔵光源により照射部分から光を発する電気浮子の照射部分の周囲に取り付ける部材であって、
８−１）部材の形状は、所定のテーパー角度を有する２以上の逆多角錐台状が連続に連結した形状であって、中心軸上に円柱乃至多角柱形状の貫通孔が設けられており、
８−２）部材の上面部は遮光部となるように形成され、
８−３）部材の逆テーパー側面は透明となるように形成され、
８−４）部材の内部の空隙に、若しくは、部材の逆多角錐台状が複数連結した形状側面に沿って内部に形成される空隙に、水より疎な密度の物質が充填された構成を備える。
【００２５】
かかる構成の電気浮子用部材を電気浮子の照射部分の周囲に取り付けることによって、照射部分が水面上に存在するときは、水面上から照射部分から発せられる光を視認可能で、照射部分が水中に存在するときは、水面上から照射部分から発せられる光が視認不可能であるといった効果を発揮する。
【００２６】
ここで、上記の第５の観点から第８の観点の電気浮子用部材において、水より疎な密度の物質は、空気、窒素ガス、ヘリウムガス、アルゴンガス、から選ばれる少なくとも１種の気体であることが好ましい。特に、好ましくは、空気である。少なくとも１種としたのは、混合気体であっても構わないといった意図がある。
これらの気体は、入手、取扱いに便利な気体であり、また、気体ゆえに浮子の浮力が増大するという効果もある。
【００２７】
ここで、上記の第５の観点から第８の観点の電気浮子用部材において、部材の内部と照射部分の外部で形成される空隙に、湿度調整のための乾燥剤が備えられることが好ましい。
ここで、乾燥剤は、水分や水滴を除外する目的がある。乾燥剤には、シリカゲルなどの汎用の乾燥剤が用いられる。
【００２８】
また、上記の第５の観点から第８の観点の電気浮子用部材において、所定のテーパー角度は、全反射臨界角の２倍値から直角を減算した角度であることが好ましい。
テーパー角度が大きすぎると、水面下での水の抵抗をうける度合いが大きくなり、浮子の性能として好ましくないため、全反射臨界角の２倍値から直角を減算した角度に、波風の影響による浮子の傾斜角度を約２〜３度加算して好適な角度とするものである。
【発明の効果】
【００２９】
上述したように、本発明の電気浮子によれば、照射部分が水面上に存在するときは、水面上から照射部分から発せられる光を視認することが可能であり、かつ、照射部分が水中に存在するときは、水面上から照射部分から発せられる光が視認不可能であるといった効果を有するのである。
【００３０】
これにより、浮子本体の照射部分の光は魚のアタリが出て水中に入った時、釣り人からはもちろん、水面上のいかなる位置からも視認できなくなるため、従来の浮子に比較して飛躍的に迅速な対応が可能となり魚のアタリを逃す機会が少なくなり、しいては好釣果を期待できるのである。
【００３１】
また、本発明の電気浮子用部材によれば、通常の電気浮子に取り付けることで、その電気浮子の照射部分が水面上に存在するときは、水面上から照射部分から発せられる光を視認することが可能であり、かつ、照射部分が水中に存在するときは、水面上から照射部分から発せられる光が視認不可能であるといった効果を有するのである。
【図面の簡単な説明】
【００３２】
【図１】本発明の一実施例を示す魚釣り用の電気浮子1の外観図である。
【図２】電気浮子１の一部断面図である。
【図３】円錐形状キャップ３を拡大した正面図と断面図である（左側：断面図、右側：正面図）。
【図４】円錐形状キャップ３の平面図（上方から見た図）である。
【図５】円錐形状キャップ３のテーパー角度の条件の説明図である。
【図６】電気浮子の照射部分のタイプを（ａ）、（ｂ）、（ｃ）として、その比較効果を説明する図である。
【図７】円錐形状キャップ３の分離構造の説明図である。
【図８】実施例２の円錐形状キャップ３の形状説明図である。
【図９】実施例３の円錐形状キャップ３の形状説明図である。
【図１０】実施例４の円錐形状キャップ３の形状説明図である。
【図１１】円錐形状キャップの形状説明図である。
【図１２】従来の魚釣り用浮子の説明図（１）
【図１３】従来の魚釣り用浮子の説明図（２）
【発明を実施するための最良の形態】
【００３３】
以下、本発明の実施の形態について、図面を参照しながら詳細に説明していく。
【実施例１】
【００３４】
（電気浮子1の構成）
本発明に係る電気浮子の一実施形態である魚釣り用の電気浮子1について以下に説明する。図１は電気浮子1の外観図である。電気浮子1は、トップ円筒チューブ２、円錐形状キャップ３、中心本体ケース４、下部本体ケース５から構成されている。
トップ円筒チューブ２は、透明な円筒チューブであり、外周は朱赤、黄色、黒などに色づけ塗装され、上端は密閉加工が施されている。また、トップ円筒チューブ２は、塩化ビニル樹脂などの樹脂材によって成形されている。また、円錐形状キャップ３は、透明な塩化ビニル樹脂などの樹脂材によって成形され、上部は黒色に色づけ塗装されている。また、中心本体ケース４及び下部本体ケース５の両者は一体化されており、また両者は雌雄ネジの螺合構造を有し分離できるようになっている。
【００３５】
次に、図２に電気浮子１の断面図を示す。図２に示されるように、電気浮子１は、その内部に、有色発光ダイオード６、リード線７、抵抗パーツ８、電池ケース９、リチウム電池１０、Ｏリング１１を備えている。
有色発光ダイオード６は、導線７に接続された抵抗パーツ８と共に、電池ケース９の端子に接合し、リチウム電池１０よりエネルギーが供給され発光する。また、Ｏリング１１は、中心本体ケース４と下部本体ケース５によって形成される本体内部の気密状態を保持するために、中心本体ケース４若しくは下部本体ケース５の雌雄ネジ構造部に設けられている。
【００３６】
（円錐形状キャップ３の構成）
次に、円錐形状キャップ３の構成について説明する。円錐形状キャップ３は、電気浮子１の照射部分の周囲に取り付ける部材であり、所定のテーパー角度を有する逆円錐台状の形状を呈して、中心軸上に円柱形状の貫通孔が設けられ、上面部は遮光部となるように形成され、逆テーパー側面は透明となるように形成され、内部空隙に空気が充填された構成を成す。円錐形状キャップ３を電気浮子１の照射部分の周囲に取り付けることによって、照射部分が水面上に存在するときは、水面上から照射部分から発せられる光を視認可能で、照射部分が水中に存在するときは、水面上から照射部分から発せられる光が視認不可能でとなる。
以下、図３を用いて、円錐形状キャップ３の具体的な構成について説明する。
【００３７】
図３は、電気浮子１のトップ円筒チューブ２に設けられた円錐形状キャップ３の部分を拡大した正面図と断面図である。図３において、右半分が正面図、左半分が断面図を表している。
円錐形状キャップ３は、トップ円筒チューブ２の照射部分Ａ（図中のハッチング部分）を囲むように、上部３ａと下部３ｂが上下密閉接続できる構造となっている（図７参照）。
円錐形状キャップ３の上部３ａは照射部分Ａの光が斜め上方から見えないように黒色で色づけ加工されており、遮光効果を有している。
一方、円錐形状キャップ３の下部３ｂ部分は、透明な塩化ビニル樹脂の材質で、所定のテーパー角度を有している。かかるテーパー角度については、後述する。
【００３８】
円錐形状キャップ３の内部とトップ円筒チューブ２の照射部分Ａの外部で形成される空間は、空気層になっている。空気層の湿度が高くならないように、円錐形状キャップ３の内側には、湿度調整のための乾燥剤が備え付けられている。
【００３９】
図４は、円錐形状キャップ３の平面図（上方から見た図）である。上述したように、円錐形状キャップ３の上部３ａは、照射部分Ａの光が斜め上方から見えないように黒色で色づけ加工されており、上方から見た場合に、トップ円筒チューブ２の外側の範囲は全て遮光効果を有する遮光部分となっている。
【００４０】
以下では、電気浮子１の照射部分Ａが水面下に入るとその照射部分Ａの光を認知できなくなる仕組みとその理由について、図５および図６を参照しながら説明する。
図５は、円錐形状キャップ３のテーパー角度の条件の説明図であり、図６は、電気浮子１の照射部分Ａのタイプを（ａ）、（ｂ）、（ｃ）として、その比較効果を説明する図である。
【００４１】
図５は、トップ円筒チューブ２に設けた円錐形状キャップ３が水面上から水中に入水した場合に、大気中の全ての方角から見ても、照射部分Ａから発せられる光が水面上に現れない臨界状態（全反射状態）を示しており、また、円錐形状キャップ３の空気層１２内部にある照射部分Ａからの光の進行経路と、電気浮子１の円錐形状キャップ３の部分を外部から見つめている釣り人の目線経路を示している。
臨界角（Ｚ°）は、大気中の全ての方角から見た場合でも、照射部分Ａの光が水面上に現れない（全反射）状態となる角度を表している。
【００４２】
水中にあって円錐形状キャップ３の空気層１２内部の照射部分Ａが、いかなる水面上からも見えなくする方法を考察する時、スネルの法則から全反射時の臨界角（Ｚ°）を求めるとともにその範囲条件を以下に説明する。
【００４３】
スネルの法則より、空気を媒質Ａ、水を媒質Ｂとし、その屈折率をそれぞれＮＡ、ＮＢとすれば、ｓｉｎＺ／ｓｉｎＩ＝ＮＡ／ＮＢ  となる。全反射時は、ｓｉｎＩ＝ｓｉｎ９０°＝１となる。媒質Ａ（空気）、媒質Ｂ（水）の屈折率がそれぞれ、ＮＡ＝１、ＮＢ≒１．３３３であることから臨界角（Ｚ°）を求めると、ｓｉｎＺ＝１／１．３３３≒０．７５となる。
従って、臨界角（Ｚ°）≒４８．６°であることが導き出される。
【００４４】
また、円錐形状キャップ３の内側とトップ円筒チューブ２の照射部分Ａの外側の空隙の空気層１２が存在するため、円錐形状キャップ３の境界部分でも光の屈折が生じる。この円錐形状キャップ３の境界部分で全反射が生じる状態の円錐形状キャップ３のテーパー角をＸ°とした場合、電気浮子１の円錐形状キャップ３の部分を外部から見つめている釣り人の目線経路は、図５に示されるようになる。
【００４５】
かかる状態、すなわち、水面境界部でも全反射が生じ、円錐形状キャップ３の境界部分でも全反射が生じる状態を想定して、円錐形状キャップ３のテーパー角をＸ°を以下算出する。図５において、光の進行経路ならびに釣り人の目線経路上で、水面境界部で全反射が生じる点をＰ点とし、円錐形状キャップ３の境界部分で全反射が生じる点をＱ点とする。また、円錐形状キャップ３の逆円錐台形状のテーパー側面にそった仮想線をＬとし、仮想線Ｌと水面の交点をＲ点とする。
【００４６】
上述したように、臨界角（Ｚ°）＝４８．６である。従って、図５で示される角度Ｙは、  Ｙ＋Ｚ＝９０であることから、Ｙ＝９０−Ｚ＝９０−４８．６＝４１．４°となる。
ここで、Ｑ点においては、円錐形状キャップ３の境界部分で全反射が生じることから、角度Ｔは臨界角となる。すなわち、Ｔ＝Ｚ＝４８．６°である。従って、角度Ｗは、Ｗ＋Ｔ＝９０であることから、Ｗ＝９０−Ｔ＝９０−４８．６＝４１．４°となる。
また、点Ｒの角度Ｖは、三角形ＰＱＲの外角となるため、Ｖ＝Ｙ＋Ｗとなる。
従って、円錐形状キャップ３の境界部分で全反射が生じる円錐形状キャップ３のテーパー角をＸ°は、Ｘ＝１８０−９０−Ｖ＝９０−（Ｙ＋Ｗ）＝９０−（４１．４＋４１．４）＝７．２°となる。
すなわち、水面上のいかなる位置からも円錐形状キャップ３の照射光線Ａを遮ることが可能な全反射のための円錐形状キャップ３のテーパー角をＸ°は、７．２°
以上の大きさであればよいことが導き出された。
【００４７】
参考までに、図６（ａ）、（ｂ）、（ｃ）を参照しながら、３タイプの照射部分Ａを備えた電気浮子１の大気中からの釣り人の視認比較について説明する。
先ず、図６（ａ）から、照射部分Ａが直接水に接した一般的な浮子の場合で、水面上の全ての角度から見えてしまう難点があることが理解できる。
一方、図６（ｂ）から、照射部分Ａを透明な円筒樹脂などで被い、空気層１２を設けた場合、前述のスネルの法則より図６（ｂ）における臨界角α＝４８．６°となり、図６（ｂ）における角度β＝４１．４°となる。光の屈折式により、図６（ｂ）におけるＩ＝６１．8°であることがわかる。すなわち、水面から２８．２°（＝９０−Ｉ）の角度においては照射部分Ａが見えてしまうことになり、不十分であることが理解できる。
また、図６（ｃ）は、上述した図５と同一内容であり、図６（ｃ）の角度αと角度βは臨界角となり、水面上の大気中から、水面下の照射部分Ａが見えることはない。
【実施例２】
【００４８】
実施例２は、実施例１の円錐形状キャップ３について、上部を平坦な形状にしたものである。図８（１），（２）は、実施例２の円錐形状キャップ３の形状を示している（図８（１）は正面図であり、図８（２）は斜め上方からの斜視図である）。実施例１の円錐形状キャップは図７に示されるように、上部３ａと下部３ｂが分離できる構造であり、また上部３ａの側面がテーパー形状を呈しており、下部３ｂの側面が逆テーパー形状を呈していた。それに対して、実施例２の円錐形状キャップは図８に示されるように、上部が平坦形状（３０ｂ）を呈しており、下部３０ｃの側面は逆テーパー形状を呈している。上部の平坦形状部分は、照射部分Ａの光が斜め上方から見えないように黒色で色づけ加工されている。
【実施例３】
【００４９】
実施例３は、電気浮子１の照射部分Ａの周囲に取り付ける円錐形状キャップであって、所定のテーパー角度を有する２以上の逆円錐台状が連続に連結した形状を呈しており、中心軸上に円柱の貫通孔が設けられ、上面部は遮光部となるように形成され、逆テーパー側面は透明となるように形成され、内部空隙に空気が充填されている。
実施例３の円錐形状キャップを照射部分Ａの周囲に取り付けることによって、照射部分Ａが水面上に存在するときは、水面上から照射部分Ａから発せられる光を視認可能で、照射部分Ａが水中に存在するときは、水面上から照射部分Ａから発せられる光が視認不可能となる。
【００５０】
図９（１），（２）は、実施例３の円錐形状キャップの形状を示している（図９（１）は正面図であり、図９（２）は斜め上方からの斜視図である）。図９に示されるように、円錐形状キャップは、所定のテーパー角度を有する２以上の逆円錐台状（３１１ｂ〜３１５ｂ、・・・）が連続に連結した形状を呈している。
各々の逆円錐台状（３１１ｂ〜３１５ｂ、・・・）は、実施例１で示したような所定のテーパー角度を有しており、また、上端部は実施例２で示したように上面部の平坦形状部分は、照射部分Ａの光が斜め上方から見えないように黒色で色づけ加工されている。
【実施例４】
【００５１】
実施例４では、透明ガラスの内部に円錐形状キャップの形状の空間があり、その空間内に空気が充填されている実施形態を説明する。図１０に示すように、透明ガラスで形成された部材２０の内部に、円錐形状キャップ３が形成されている。この円錐形状キャップ３の内部に、空気が充填されている空気層１２が形成されている。また、中心軸方向には、電気浮子のトップ円筒チューブ２（図示せず）に取り付けられるように、貫通孔が形成されている。本部材２０は、この貫通孔の側面部２０ａが、電気浮子の照射部分Ａ（図示せず）を覆うようにトップ円筒チューブ２（図示せず）に取り付けられる。
【００５２】
図１０において、本部材２０の内部２０ｂは、透明ガラスとなっている。
また、上面部の平坦形状部分は、他の実施例と同様に、照射部分Ａの光が斜め上方から見えないように黒色で色づけ加工されている。
実施例４の部材を照射部分Ａの周囲に取り付けることによって、照射部分Ａが水面上に存在するときは、水面上から照射部分Ａから発せられる光を視認可能で、照射部分Ａが水中に存在するときは、水面上から照射部分Ａから発せられる光が視認不可能となる。
【００５３】
（その他の実施例）
（１）上述の実施例では、円錐形状キャップのテーパー側面は透明としているが、これは光源から発せられる光に合わした透光性を有するものでもかまわない。
（２）上述の実施例では、円錐形状キャップは素材を樹脂とし成形されたものであるが、ゴムなどの素材を用いて屈曲性があり撓むことが可能なものとしてもよい。
（３）上述の実施例では、円錐形状キャップを用いているが、三角錐、四角錐等の多角錐台の形状のものでもよい。
（４）上述の実施例では、トップ円筒チューブ２と円錐形状キャップ３は、別個の構成部材として説明したが、これらは一体とされた１つの構成部材であってもよい。
（５）上述の実施例では、トップ円筒チューブ２と円錐形状キャップ３は、別個の構成部材として説明したが、円錐形状キャップ３本体が上部の遮蔽部位外を透明な材質で密閉された空隙を有する構造であってもよい。
【００５４】
また、図１１は、円錐形状キャップのみの説明図である。円錐形状キャップは、遮光部材からなる上部３ａと透明部材からなる下部３ｂで構成され、中心軸上に円柱の貫通孔が設けられており、貫通孔の内壁３ｃも透明部材で構成されている。図１１で示す空気層１２の部分で気密空隙を形成している。
【産業上の利用可能性】
【００５５】
本発明は、魚釣り用の電気浮子または電気浮子用部材として有用である。
【符号の説明】
【００５６】
１  電気浮子
２  トップ円筒チューブ
３  円錐形状キャップ
４  中心本体ケース
５  下部本体ケース
６  有色発光ダイオード
１２  空気層
２０  部材
Ａ  照射部分
【図１】
2010200750.tif 000003
【図２】
2010200750.tif 000004
【図３】
2010200750.tif 000005
【図４】
2010200750.tif 000006
【図５】
2010200750.tif 000007
【図６】
2010200750.tif 000008
【図７】
2010200750.tif 000009
【図８】
2010200750.tif 000010
【図９】
2010200750.tif 000011
【図１０】
2010200750.tif 000012
【図１１】
2010200750.tif 000013
【図１２】
2010200750.tif 000014
【図１３】
2010200750.tif 000015